(57)【要約】  【課題】スクリードの振動の影響を作業者が受け難い構造を得る。  【解決手段】スクリード１３と支持ブラケット１７の前端１７ａ側との間に、スクリード１３側に設けたガイドバー２１に対して支持ブラケット１７の姿勢を略直角に保持する伸縮自在な弾性体２２ａ，２２ｂ，２２ｃ，２２ｄを設け、スクリード１３の上下方向の振動を弾性体２２ａ，２２ｂ，２２ｃ，２２ｄの伸縮により吸収してスクリード１３に対する支持ブラケット１７の上下及び左右方向の回動を規制し、スクリード１３側から支持ブラケット１７側に伝わる振動を低減するようにした。【選択図】図４
2005248579.tif 000002
【特許請求の範囲】
【請求項１】
車体の両側から後方に向けて左右一対のレベリングアームを延出し、該レベリングアームの後端間にスクリードを装着した舗装機械に於いて、
前記スクリードの後部に上下方向に向けて設けられたガイドバーと、
前端側に貫通孔を有し、且つ、該貫通孔に前記ガイドバーを貫通させて、該前端側を該ガイドバーに上下方向に摺動自在に係合させると共に、後端側を該スクリードの後方に向けて延設した支持ブラケットと、
前記スクリードから離反して前記支持ブラケットに取り付けられた作業用ステップと、
前記スクリードと前記支持ブラケットの前端側との間に前記支持ブラケットの姿勢を前記ガイドバーに対して略直角に保持する伸縮自在な弾性体とを備え、
前記スクリードの上下方向の振動を前記弾性体の伸縮により吸収するようにしたことを特徴とする舗装機械に於ける作業用ステップの支持装置。
【請求項２】
上記弾性体の一端を、上記支持ブラケットの前端側に対して上下及び左右の４方向から押し付けるようにして成る請求項１記載の舗装機械に於ける作業用ステップの支持装置。
【請求項３】
上記作業用ステップと上記支持ブラケットとの間に伸縮自在に設けられ、前記支持ブラケットに対する前記作業用ステップの上下方向の振動を前記伸縮により吸収する補助制振部材を設けた請求項１又は２記載の舗装機械に於ける作業用ステップの支持装置。
【発明の詳細な説明】
【技術分野】
【０００１】
本発明は舗装機械の作業用ステップの支持装置に関するものであり、特に、スクリードの後部に設けられる作業用ステップの支持装置に関するものである。
【背景技術】
【０００２】
従来、此の種、舗装機械は、車体の前部にアスファルト合材を受け入れるホッパを配設し、車体の両側から後方に向けてレベリングアームを延出し、該レベリングアームの後端にスクリードの外側面を装着している。又、スクリードの後部に作業用ステップを固設し、作業者が該ステップに乗って舗装状態を見ながら作業を行えるように形成されている（例えば、特許文献１参照）。
【特許文献１】特開平１１−１４０８１６号公報。
【発明の開示】
【発明が解決しようとする課題】
【０００３】
一般に、舗装機械はアスファルト合材の締め固めを向上するため、スクリードに振動を与えながら敷き均し作業を行っている。従来のステップは、スクリードの後部に固設されているため、振動が作業用ステップに伝わって作業者はその振動を直接受けることになり、該振動が作業者の体に疲労を与えて長時間の作業は困難である。
【０００４】
そこで、スクリードの振動の影響を作業者が受け難い作業用ステップの支持装置を提供するために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、車体の両側から後方に向けて左右一対のレベリングアームを延出し、該レベリングアームの後端間にスクリードを装着した舗装機械に於いて、前記スクリードの後部に上下方向に向けて設けられたガイドバーと、前端側に貫通孔を有し、且つ、該貫通孔に前記ガイドバーを貫通させて、該前端側を該ガイドバーに上下方向に摺動自在に係合させると共に、後端側を該スクリードの後方に向けて延設した支持ブラケットと、前記スクリードから離反して前記支持ブラケットに取り付けられた作業用ステップと、前記スクリードと前記支持ブラケットの前端側との間に前記支持ブラケットの姿勢を前記ガイドバーに対して略直角に保持する伸縮自在な弾性体とを備え、前記スクリードの上下方向の振動を前記弾性体の伸縮により吸収するようにした舗装機械に於ける作業用ステップの支持装置を提供する。
【０００６】
スクリードが上下方向に振動すると、弾性体の伸縮を伴いながらガイドバーが貫通孔内を上下方向に移動し、該弾性体の伸縮で振動を吸収して支持ブラケットの位置をその位置に留め、スクリードから支持ブラケットに伝わる振動を規制する。従って、スクリードから離反して支持ブラケットに配置されている作業用ステップの振動も支持ブラケットと共に規制される。
【０００７】
請求項２記載の発明は、上記弾性体の一端を、上記支持ブラケットの前端側に対して上下及び左右の４方向から押し付けるようにして成る請求項１記載の舗装機械に於ける作業用ステップの支持装置を提供する。
【０００８】
支持ブラケットの姿勢は、該支持ブラケットの前端側に上下及び左右の４方向から押し付けられる弾性体の押さえにより、ガイドバーに対して常に略直角に保持され、且つ、前記スクリードの上下及び左右方向の振動は、前記弾性体の伸縮により吸収される。
【０００９】
請求項３記載の発明は、上記作業用ステップと上記支持ブラケットとの間に伸縮自在に設けられ、前記支持ブラケットに対する前記作業用ステップの上下方向の振動を前記伸縮により吸収する補助制振部材を設けた請求項１又は２記載の舗装機械に於ける作業用ステップの支持装置を提供する。
【００１０】
スクリードと支持ブラケットとの間に設けてある弾性体に加えて、支持ブラケットと作業用ステップとの間にも補助制振部材を設けている。この補助制振部材では、スクリード側からの振動がスクリードと支持ブラケットとの間の弾性体で規制し切れずに支持ブラケット側に伝達されたとき、該支持ブラケット側に伝達された振動は、支持ブラケットと作業用ステップとの間に設けてある補助制振部材の伸縮により吸収される。従って、スクリード側からの振動は、スクリードと支持ブラケットとの間に設けてある弾性体と、支持ブラケットと作業用ステップとの間に設けてある補助制振部材の、両方の部材で吸収されて低減されることになる。
【発明の効果】
【００１１】
請求項１記載の発明は、スクリードが上下方向に振動すると、弾性体の伸縮を伴いながらガイドバーが貫通孔内を上下方向に移動して支持ブラケットの位置をその位置に留め、作業用ステップと支持ブラケットに対する動きを規制するので、スクリードから作業用ステップに伝わる振動を低減することができる。従って、作業用ステップに乗っている作業者は、スクリードの振動を受け難く、振動による作業者の疲労を防止でき、長時間の作業も可能となる。又、複雑な防振装置が不要であり、簡素な構成で安価に振動を防止できる。
【００１２】
請求項２記載の発明は、上下及び左右の４方向から支持ブラケットの一端側を弾性体で押さえて姿勢を保持しているので、請求項１に記載の発明の効果に加え、スクリード側から支持ブラケット側に伝わる上下の振動に加えて、左右方向の振動も積極的に吸収して低減することができる。これにより、作業用ステップに乗っている作業者は、更にスクリードの振動を受け難くなる。
【００１３】
請求項３記載の発明は、スクリードと支持ブラケットとの間に設けてある弾性体による振動の吸収に加えて、支持ブラケットと作業用ステップとの間に設けてある補助制振部材による振動の吸収も得られるので、請求項１又は２記載の発明の効果に加えて、作業用ステップに乗っている作業者は、更にスクリードの振動を受け難くなる。
【発明を実施するための最良の形態】
【００１４】
以下、本発明の一実施の形態を図面に従って詳述する。スクリードの振動の影響を作業者が受け難くするという目的を、スクリードと支持ブラケットの前端側との間に、スクリード側に設けたガイドバーに対して支持ブラケットの姿勢を略直角に保持する伸縮自在な弾性体を設け、スクリードの上下方向の振動を弾性体の伸縮により吸収して、スクリードに対する支持ブラケットの上下及び左右方向の回動を規制することにより実現した。
【００１５】
図１乃至図３は舗装機械の一例として、アスファルトフィニッシャ１０を示し、車体１１の前部にホッパ１２が配置され、該ホッパ１２に投入されたアスファルト合材はバーコンベヤ（図示せず）により後方へ搬送され、車体１１の後部から路面へ撒布されてスクリード１３により均等な厚さに敷き均される。符号１４は左右の駆動輪であり、該駆動輪１４は油圧モータ（図示せず）によって駆動される。
【００１６】
車体１１の左右両側からは後方に向けてそれぞれレベリングアーム１５を延出し、該左右一対のレベリングアーム１５の後端間にスクリード１３の外側面を装着してある。又、該スクリード１３の後部には、該スクリード１３の左右両側に設けてある左右一対の支持ブラケット１７，１７を介して作業用ステップ１６が取り付けられている。
【００１７】
図４乃至図７は、スクリード１３に支持ブラケット１７を介して作業用ステップ１６を取り付けている構造の詳細を示す。尚、説明を簡略化するために片側（左側面側）の構造だけを示している。
【００１８】
図４乃至図７に示す作業用ステップの支持構造では、支持ブラケット１７は細長い板状部材で作られている。該支持ブラケット１７は平面を上下に向けた状態で略水平に配設され、且つ、前端１７ａ側が取付部材１８を用いてスクリード１３の後端面１３ａに取り付けられ、後端１７ｂ側がスクリード１３の後方に向けて真っ直ぐに延ばされている。
【００１９】
又、支持ブラケット１７の前端１７ａ側には、上下に貫通している係合穴１９を設けていると共に、左右両側には縦板部１７ｃ，１７ｄを上下方向に延ばされた状態で固設している。一方、支持ブラケット１７の後端１７ｂ側の上面には、補助制振部材２０を介して作業用ステップ１６がスクリード１３から離反させた状態で取り付けられている。ここでの補助制振部材２０は、例えばコイルスプリング、或いは、剛性の低い防振ゴムである。
【００２０】
取付部材１８は、上下一対の水平板部１８ａ，１８ｂと、左右一対の垂直板部１８ｃ，１８ｄと、丸棒状のガイドバー２１とで構成されている。上下一対の水平板部１８ａ，１８ｂは、支持ブラケット１７の前端１７ａの上下に位置するようにして、スクリード１３の後端面１３ａから後方に向けて真っ直ぐ平行に延びている。左右一対の垂直板部１８ｃ，１８ｄは、支持ブラケット１７の左右に位置し、且つ平面を互いに内側に向けて、スクリード１３の後端面１３ａから後方に向けて真っ直ぐ支持ブラケット１７の縦板部１７ｃ，１７ｄと平行に延びている。ガイドバー２１は丸棒状の部材であり、支持ブラケット１７の係合穴１９を貫通し、その上下端が水平板部１８ａ及び水平板部１８ｂにそれぞれ固設されている。ガイドバー２１と係合穴１９との間には遊びが作られており、この遊びによってガイドバー２１は係合穴１９内を上下方向に摺動可能で、且つ、水平方向に対しても回動可能になっている。
【００２１】
又、水平板部１８ａと支持ブラケット１７の上面、及び、水平板部１８ｂと支持ブラケット１７の下面との間には、弾性体２２ａ，２２ｂがそれぞれ圧縮された状態で配置されている。そして、これら弾性体２２ａによる内側への押圧と弾性体２２ｂによる内側への押圧とで、支持ブラケット１７は水平にバランスされた姿勢で保持されている。更に、垂直板部１８ｃと支持ブラケット１７の縦板部１７ｃ、及び、垂直板部１８ｄと支持ブラケットの縦板部１７ｄとの間にも、弾性体２２ｃ，２２ｄがそれぞれ圧縮された状態で配置されている。そして、これら弾性体２２ｃによる内側への押圧と弾性体２２ｄによる内側への押圧とで、支持ブラケット１７は左右にバランスされた姿勢で保持されている。従って、支持ブラケット１７の前端１７ａ側は、弾性体２２ａ，２２ｂ，２２ｃ，２２ｄで上下、及び、左右の、４方向から押さえられてバランスが取られているので、支持ブラケット１７は、通常、そのバランスの取れた同じ位置で、ガイドバー２１に対して垂直な姿勢状態で保持されている。
【００２２】
尚、弾性体２２ａ，２２ｂ，２２ｃ，２２ｄは、補助制振部材２０と同様、例えばコイルスプリング、或いは、剛性の低い防振ゴムである。
【００２３】
次に、このように構成された作業用ステップの支持構造の動作を説明する。スクリード１３が上下に振動すると、弾性体２２ａ〜２２ｄの伸縮を伴いながらガイドバー２１が係合穴(貫通孔)１９内を上下方向に移動し、該弾性体２２ａ〜２２ｄの伸縮で振動を吸収して支持ブラケット１７の位置をその位置に留め、スクリード１３から支持ブラケット１７に伝わる振動を規制し、スクリード１３側から作業用ステップ１６側に伝わる振動を抑える。
【００２４】
又、補助制振部材２０は、スクリード１３側からの振動が弾性体２２ａ〜２２ｄで規制し切れずに支持ブラケット１７が振動したとき、支持ブラケット１７の振動に伴って伸縮する。そして、この補助制振部材２０の伸縮で支持ブラケット１７の振動を吸収し、支持ブラケット１７から作業用ステップ１６に伝わる振動を抑える。
【００２５】
従って、このように構成された舗装機械では、スクリード１３が上下方向に振動すると、弾性体２２ａ〜２２ｄの伸縮を伴いながらガイドバー２１が係合穴(貫通孔)１９内を上下方向に移動して支持ブラケット１７の位置をその位置に留め、作業用ステップ１６と支持ブラケット１７に対する動きを規制するので、スクリード１３から作業用ステップ１６に伝わる振動を低減することができる。これにより、作業用ステップに乗っている作業者は、スクリードの振動を受け難く、振動による作業者の疲労を防止でき、長時間の作業も可能となる。又、複雑な防振装置が不要であり、簡素な構成で安価に振動を防止できる。
【００２６】
尚、本実施例の構造では、支持ブラケット１７と作業用ステップ１６との間に補助制振部材２５を設けた構造を開示したが、これは必ずしも必要なものではないが、補助制振部材２５を設けた場合には、スクリード１３側からの振動は弾性体２２ａ〜２２ｄと補助制振部材２５の両方の部材で吸収されることになり、更に振動の低減が図れる。
【００２７】
又、本発明は、本発明の精神を逸脱しない限り種々の改変を為すことができ、そして、本発明が該改変されたものに及ぶことは当然である。
【図面の簡単な説明】
【００２８】
【図１】作業用ステップを取り付けたアスファルトフィニッシャの側面図。
【図２】作業用ステップを取り付けたアスファルトフィニッシャの平面図。
【図３】作業用ステップを取り付けたアスファルトフィニッシャの背面図。
【図４】作業用ステップ支持構造の斜視図。
【図５】図４の矢印Ａ方向より見た作業用ステップ支持構造の側面図。
【図６】作業用ステップ支持構造の上面図。
【図７】図６のＢ−Ｂ断面矢視図。
【符号の説明】
【００２９】
１０            アスファルトフィニッシャ
１１            車体
１３            スクリード
１５            レベリングアーム
１６            作業用ステップ
１７            支持ブラケット
１７ａ          前端
１７ｂ          後端
１７ｃ          縦板部
１７ｄ          縦板部
１８            取付部材
１８ａ          水平板部
１８ｂ          水平板部
１８ｃ          垂直板部
１８ｄ          垂直板部
１９            係合穴
２０            補助制振部材
２１            ガイドバー
２２ａ〜２２ｄ  弾性体
【図１】
2005248579.tif 000003
【図２】
2005248579.tif 000004
【図３】
2005248579.tif 000005
【図４】
2005248579.tif 000006
【図５】
2005248579.tif 000007
【図６】
2005248579.tif 000008
【図７】
2005248579.tif 000009